(57)【要約】【課題】  りゅうずを回転してモードを切り替える多機能時計の場合、携帯時の軽衝撃などにより、ユーザが意識しないでモードが切り替わり、誤操作、或いは時間を確認したい時に指針が別モードの表示を行っている為にすぐには時間が判らない等の問題点があった。【解決手段】  りゅうずを２段まで引いて操作可能なアナログタイプ或いはコンビネーションタイプの多機能時計において、りゅうずによる操作を行う機構部分である裏回りの一構成部品であるかんぬきの位置決め用の穴形状を変更し、りゅうずを１段引きして回転する事によりモード切替を行う構造とした。また、モードに関わらず、りゅうずが１段引きされてモード切替可能状態である場合は、通常表示と異なる表示とする事によりユーザにモード切替可能状態である事を警告した。これにより、モード誤切替の危険性の低い、安全かつ確実にモード切替が可能な多機能時計を提供する。【選択図】      図２
2005300377.tif 000002
【特許請求の範囲】
【請求項１】
第１の外部操作部材と、複数の機能モードのうちの１つを指示するモード針等のモード表示装置を有し、前記第１の外部操作部材の操作に基づく前記複数の機能モードの選択操作に連動して、前記モード表示装置を作動させ機能モードのモード表示の切替を行う多機能時計において、前記第１の外部操作部材を引く操作の後に前記機能モードのモード切替を行うように構成した事を特徴とする多機能時計。
【請求項２】
前記第１の外部操作部材を引く操作の後のモード切替のための操作は、前記第１の外部操作部材の回転操作である事を特徴とする請求項１記載の多機能時計。
【請求項３】
前記第１の外部操作部材を引く操作の後のモード切替のための操作は、前記第１の外部操作部材とは別部材である第２の外部操作部材による操作である事を特徴とする請求項１記載の多機能時計。
【請求項４】
前記第１の外部操作部材がりゅうずであり、該りゅうずを１段もしくは２段に引いた後にモード切替を行う事を特徴とする請求項１乃至３の何れかに記載の多機能時計。
【請求項５】
前記第２の外部操作部材がボタンスイッチであり、該ボタンスイッチの操作に基づきモード切替を行う事を特徴とする請求項３に記載の多機能時計。
【請求項６】
前記第１の外部操作部材を引いた後にモード切替を行う際に、前記モード表示装置以外の表示装置が通常表示とは異なる表示を行うように構成した事を特徴とする請求項１乃至５の何れかに記載の多機能時計。
【請求項７】
前記モード表示装置以外の表示装置は、時刻の表示を行う時刻表示装置である事を特徴とする請求項１乃至６の何れかに記載の多機能時計。
【発明の詳細な説明】
【技術分野】
【０００１】
本発明は、モード針を有する多機能時計の構造に関する。
【背景技術】
【０００２】
従来、時計はその時刻の表示形態として、２本或いは３本の指針によって時刻を表示するアナログ方式と、液晶やＬＥＤに代表される電子光学的表示装置によって時刻を表示するデジタル方式、或いは両者を組み合わせたコンビネーション方式に大別できることが知られている。また、このうちアナログ方式の時計の中でも、例えば秒針やカレンダーの有無、更にはタイマー機能、クロノグラフ機能やアラーム機能、月齢表示機能等に代表される従属的な計時機能の有無を、ユーザがそれぞれの好みに合わせて選択できることも知られている。
【０００３】
このうち、アナログ表示の多機能時計としては、通常の時刻表示以外に付加機能として、例えばアラーム、クロノグラフ、タイマー、通常時刻から所定の時差をオフセットした時刻を表示するローカルタイム表示など各種の機能がある。また、時計の表示仕様としては、これら付加機能を時刻を表示する指針とは別の指針によって表示するタイプと、特定のモードを呼び出した際に、時刻を表示する指針が切り換わり、その後特定の動きを行う事により付加機能を操作可能となるタイプに大別可能であり、デザインや付加機能などにより、多種多様な製品が実用化されている。
【０００４】
これらの付加機能を搭載した多機能時計の場合、その操作方法としては、ユーザは外部からの操作によって付加機能を呼び出し、付加機能を選択して使用する仕様となっている場合が多い。ここで、ユーザからの外部操作による操作部材としては、プッシュボタンやリューズが一般的であるが、最近ではベゼルの回転によるモード切替や、触感式のセンサを用いてベゼルの特定箇所を触れる事でモードが切り換わる仕様の時計もある。
デジタル式の時計の場合は、指針が存在しない為、複数あるプッシュボタンのうち、特定のプッシュボタンをモード切替専用のプッシュボタンとして、このプッシュボタンを押す事により所定のモードを呼び出し、他のプッシュボタンを操作して所定の機能を使用する仕様が一般的である。
【０００５】
これに対して、コンビネーションタイプ、もしくはアナログタイプの多機能時計の場合、指針の操作をリューズで行う方が、一般的なスタンダードタイプのアナログ時計と類似した操作仕様とできる事、またリューズの存在そのものがデジタルタイプとの差別化可能であり、デザイン上の訴求ポイントでもある事などの理由から、リューズ操作によって特定のモードを呼び出し、リューズの回転或いは他のプッシュボタンによって所定の機能を使用する為の操作を行う仕様の製品が多く発売されている。
【０００６】
また、多機能時計の場合、機能が増えれば増えるほど、表示を見ただけでは時計が現在いずれのモードの表示を行っているのかが判りづらくなり、操作性も悪くなる可能性がある。これに対して通常は、時計がどういう状態なのかをユーザに視覚的に認知させるべく、モード表示を行って操作性を向上させるのが一般的である。
【０００７】
その表示方法としては、コンビネーションタイプの場合は液晶表示を利用して、モードを表示する方法が挙げられる。これに対してアナログタイプの多機能時計の場合は、特定の指針で特定の箇所を指し示す事により現在のモードを表示する方法が挙げられる。
【０００８】
上記、特定の指針を外部操作により移動させる事によりモードを切り替えると同時に、
モードの表示も切り替える方法は、従来より種々の方法が考案されている。例えば公開特許公報２００１−２２１８７０号では、２段階に引く事が可能な巻真構造に関するものであり、りゅうずが押し込まれた状態（以下０段状態と称す）でのりゅうず回転操作によってモード切替操作を行い、りゅうずが１段或いは２段に引かれた状態では電磁スイッチによる表示の修正操作を行う事が可能な構造が開示されている。
【０００９】
その構造の概略を図９に示す。図９に示すモード切替構造は、巻真２の位置決めを行う公知の部品であるおしどり４と、おしどり８の回動に連動する公知のレバー部品であるかんぬき１０により、スイッチ車８の位置を巻真２の中心軸上で移動させる。即ち、りゅうずが０段の状態、つまり巻真２が押込まれた状態ではスイッチ車８が第一モード中間車９ａと常時噛み合う事により、りゅうずを回転させると、巻真２がスイッチ車８、第一モード中間車９ａ、第二モード中間車９ｂ、第三モード中間車９ｃを介してモード車３を回動し、モード車３に係合されて同期回動するモード切替スイッチバネ１９を回転する。モード切替スイッチバネ１９が回路基板５上に形成された機能モード検出パターン５ｅ、５ｆ、５ｇと導通する条件の組み合わせにより、ＩＣ１８の機能モードを呼び出す構造となっている。
【００１０】
また、りゅうずが０段でない場合、即ち１段或いは２段の状態の場合は、スイッチ車８はかんぬき１０によって巻真２の中心軸上を時計の外周方向へ向かって、第一モード中間車９ａと所定の平面隙を有する位置まで移動する。これにより、りゅうず１段或いは２段の状態でりゅうずを回転しても、スイッチ車８と第一モード中間車９ａが噛み合っていない。従ってモード切替は行われない構造となっている。
【００１１】
【特許文献１】特開２００１−２２１８７０号公報
【００１２】
【非特許文献１】アポロ出版「ＷＡＴＣＨ  ＬＩＦＥ」バーゼルフェア２００３保存版・１２８頁〜１２９頁
【発明の開示】
【発明が解決しようとする課題】
【００１３】
このような構造とする事により、巻真２が０段の状態では巻真２の回転によりモード車３を回転させモードを切り替え、巻真２が０段でない状態では、巻真２の回転ではスイッチ車８と第一モード中間車９ａが空振りする事によりモードが切り替わらない構造を提供する事が可能である。
【００１４】
しかしながら、時計は通常は巻真２に固定されるりゅうずが０段の位置で使用されるが、携帯時の軽衝撃などによりりゅうずが回転してしまい、ユーザが意図しないでモードが切り替わってしまうという問題点がある。
【００１５】
即ち、ユーザが時計を携帯する場合は、りゅうずは押し込まれた状態で携帯され、所定の修正動作を行う時のみ、りゅうずを引き出して操作を行う。この場合、図６に示すように、りゅうずが０段の状態では、巻真２と連動するスイッチ車８は常に第一モード中間車９ａと噛み合っている。従って、意図しないでりゅうずが回転されると、その回転力は巻真２、スイッチ車８、第一モード中間車９ａ、第二モード中間車９ｂ、第三モード中間車９ｃを介して、常にモード車３に伝達されてしまう。モード車３はモード躍制バネ１５によってのみ、その位置が規制されているため、モード躍制バネ１５がモード車３を押圧して保持する力以上の回転力がモード車３に伝わると、ユーザが意識しないうちにモードが切り替わってしまうのである。
【００１６】
特に、図７に示す時計は、時刻表示用の指針以外の指針で付加機能を操作するのではなく、時刻表示用の指針が各モードに対応した表示へと切り替わる事により付加機能表示を行っている。即ち、例えばアラームモードへ切り替えた場合は、時刻表示用の指針がアラーム時刻を指し示す事によってアラーム時刻の表示及び修正を行う仕様となっており、ユーザが意識しないでりゅうずが回転されてしまう事でアラームモードへ変更されてしまうと、いざ時刻を確認する為に時計を見た所、アラーム時刻になっている為に、誤った時刻を現在時刻として読み取ってしまう、或いはすぐには時刻が判らない状態に陥る可能性がある。
【００１７】
この場合、モードを再度切り替えて通常時刻モードへ移行すれば時刻確認は可能である。しかしながらアラームモードから通常時刻モードへ切り替えた場合、時分針はアラーム時刻表示状態から通常時刻モードへ、モータによる早送りによって指針を高速駆動する為、指針が移動し終わるまでは時刻は判らない。
【００１８】
本発明はこれらの課題を解決すべく、携帯時にユーザが意図しないのにモードが切り替わってしまう事なく、かつ必要な場合は簡単かつ確実にモード切替が可能な、誤切替の可能性が低く安全な、多機能時計のモード切替機構を提供する事である。
【課題を解決するための手段】
【００１９】
本発明は、上記目的を達成するため、第１の外部操作部材と、複数の機能モードのうちの１つを指示するモード針等のモード表示装置を有し、前記第１の外部操作部材の操作に基づく前記複数の機能モードの選択操作に連動して、前記モード表示装置を作動させ機能モードのモード表示の切替を行う多機能時計において、前記第１の外部操作部材を引く操作の後に前記機能モードのモード切替を行うように構成した事を特徴とする。
【００２０】
これにより、携帯時にユーザが意図しないのに軽衝撃等でモードが切り替ってしまう可能性の低い多機能時計を実現する事が可能となる。
【００２１】
また、前記第１の外部操作部材を引く操作の後のモード切替のための操作が、前記第１の外部操作部材の回転操作である事を特徴とする。
【００２２】
これにより、携帯時にユーザが意図しないのに軽衝撃等でモードが切り替ってしまう可能性の低い多機能時計を実現する事が可能となる。
【００２３】
また、前記第１の外部操作部材を引く操作の後のモード切替のための操作は、前記第１の外部操作部材とは別部材である第２の外部操作部材による操作である事を特徴とする。
これにより、携帯時にユーザが意図しないのに軽衝撃等でモードが切り替ってしまう可能性の低い多機能時計を実現する事が可能となる。
【００２４】
また、前記第１の外部操作部材がりゅうずであり、該りゅうずを１段もしくは２段に引いた後にモード切替を行う事を特徴とする。
【００２５】
これにより、時刻修正の為に一般的に配設されているりゅうずをモード切替の為の外部操作部材として利用し、無為に操作部材を増やす事なく、かつ簡単な操作でモード切替が可能な多機能時計を実現する事が可能となる。
【００２６】
また、前記第２の外部操作部材がボタンスイッチであり、該ボタンスイッチの操作に基づきモード切替を行う事を特徴とする。
【００２７】
これにより、携帯時にユーザが意図しないのに軽衝撃等でモードが切り替ってしまう可
能性の低い多機能時計を実現する事が可能となる。
【００２８】
また、前記第１の外部操作部材を引いた後にモード切替を行う際に、前記モード表示装置以外の表示装置が通常表示とは異なる表示を行うように構成した事を特徴とする。
【００２９】
これにより、りゅうずの押込みを忘れて携帯した場合に、モード切替可能状態、即ちりゅうずが引かれた状態である事をユーザに警告し、意図しないのに軽衝撃等でモードが切り替ってしまう可能性の低い多機能時計を提供する事が可能となる。
【００３０】
また、前記モード表示装置以外の表示装置は、時刻の表示を行う時刻表示装置である事を特徴とする。
【００３１】
これにより、警告表示の為に表示部材を増やす事なく、モード切替可能状態、即ちりゅうずが引かれた状態である事をユーザに警告し、意図しないのに軽衝撃等でモードが切り替ってしまう可能性の低い多機能時計を提供する事が可能となる。
【発明の効果】
【００３２】
本発明を実施する事により、携帯時の軽衝撃などにより、ユーザが意図しないのにモードが切り替わってしまう事を防止でき、安全、確実かつ操作感の良好な多機能時計を提供する事が可能となる。
【発明を実施するための最良の形態】
【００３３】
本発明の詳細について、以下図面に基づいて説明する。
【実施例１】
【００３４】
図１〜図６は、本発明のアナログ多機能時計のモード切替部の構造を示す概略図であり、図１は完成時計の表示仕様概略を示す平面図、図２はりゅうずが０段の状態のムーブメントを裏蓋側から見た要部平面図、図３はモード切替機構の周辺部の部分断面概略図、図４はりゅうずが１段の状態のムーブメントの要部平面図、図５はりゅうずが２段の状態のムーブメントの要部平面図、図６はりゅうずが各段の状態における巻真２、スイッチ車８と第一モード中間車９ａの位置関係を示す拡大図である。なお、図９と同一構成には同一番号を付して、その説明を省略する。
【００３５】
図１〜図３において、１はムーブメントの基材であり、輪列類に代表されるムーブメントの構成部品の保持を行う部品である地板、２は外部操作部材の一構成部品である巻真、２ａは巻真２と係合する外部操作部材の一構成部品であるりゅうず、３はモードを示すモード針３ｄが圧入固定されており、モード指針を駆動する輪列であるモード車、４は巻真２の動作に連動する部品であるおしどり、５は回路基板、６は第一スイッチバネ、７は巻真２の操作時の節度を出し、おしどり４の位置決めを行う部品である裏押え、８は縦歯の歯車であり、巻真の回転動作をモード車３に伝達する部品であるスイッチ車、９ａは第一モード中間車、９ｂは第二モード中間車、９ｃは第三モード中間車、１０はかんぬき、１１は巻真の回転に伴って所定の角度だけ回動するスイッチレバー、１２はスイッチレバー１１の回動に連動して平面方向に回転する第二スイッチバネ、１３はスイッチレバー１１が回転した際、元の位置へ復帰させるバネ部品であるスイッチレバー戻しバネ、１４は第三モード中間車９ｃを地板１と挟持する事で保持する部品であるモード輪列受（図３参照）、１５はモード車３を所定のたわみで押圧する事によりモード車３の位置を規制するバネ部品であるモード躍制バネ、１７は秒針、１８は回路基板５の下面側に実装され、時計の表示動作などの制御を行うＩＣである。なお、図２におけるモード車３の位置が文字板側から時計を見た時に６時の位置となっている。
【００３６】
図１〜６に示す多機能時計は、りゅうず２ａを通常使用の０段状態、１段状態、２段状態と、三段階の位置で規制する事が可能である。また、モードは４モード存在する多機能時計であり、６時位置に配設されたモード針３ｄの位置によってユーザに告知し、ＴＭＥが通常時刻表示モード、ＣＡＬがカレンダー表示・修正モード、ＡＬＭがアラームモード、Ｌ−ＴＭがローカルタイムモードを示す。また、表示形態としては、中央部の秒針１７、６時位置に前述したモード針３ｄを有する。なお、秒針１７、モード針３ｄ以外の表示形態として、中央部に分針及び時針、１０時位置に２４時間表示針、２時位置に曜日などを示す機能針を有するが、本発明とは無関係であり、各指針の詳細説明については省略する。
【００３７】
図２において、おしどり４は巻真２に形成されたおしどり係合部２ｂに、その先端部４ａが係合する事により巻真２と連動し、巻真２の位置によって地板に圧入固定されたおしどり軸１ａを中心に回動するが、その位置は、おしどり４に一体成形されたピン４ｂが、裏押え７の山形形状７ａの山と山の間に落ち込む事によって決められる。また、おしどり４はその先端部４ａ付近にピン形状４ｃを有する。第一スイッチバネ６は、おしどり先端部４ａ付近に一体形成されたピン形状４ｃと長穴部６ａが係合する事により、地板１の第一スイッチバネ中心軸１ｂを中心に回動される。第一スイッチバネ６の先端部６ｂは、回路基板５の下面側に形成された１段状態検出パターン５ａ或いは２段状態検出パターン５ｂに当接して導通する。第一スイッチバネ６は、巻真２の位置検出スイッチとなっており、１段状態検出パターン５ａがＯＮの時は巻真２が一段位置、２段位置検出パターン５ｂがＯＮの時は巻真２が二段位置であると判断して、両パターンからの入力を回路基板５に実装されたＩＣ１８で判断して、各入力に応じた動作を行う仕様となっている。
【００３８】
かんぬき１０は、地板１に形成されたかんぬき軸１ｃを中心に回動するが、おしどり４のピン４ｂに対応する位置に異形穴４ａを有する。また、戻しバネ部１０ｂが常に地板を押圧する構造となっており、常に１ｃを中心に左回りの荷重を受けているが、異形穴４ａがおしどり４のピン４ｂと係合する事によりその位置を規制されている。
【００３９】
スイッチ車８は縦歯の歯車８ｃを有し、その中心穴８ａを巻真２が貫通している。また、円周上に凹形状８ａを有し、この凹形状８ａがかんぬき１０と係合する事により、巻真２の中心線に沿って移動可能な構造となっている。また、中心穴８ａは、その断面が略矩形の形状となっており、巻真２の係合部が略矩形の形状になっている事から、巻真の回転に連動してスイッチ車８も一緒に回転する。また、凹形状８ａに対して縦歯の歯車部８ｃと反対側に３ヶ所のカム形状８ｂを有する。
【００４０】
スイッチレバー１１は、その先端部１１ａがスイッチ車８のカム形状８ｂによって押される事により、巻真２の回転と連動して地板１のスイッチレバー軸１ｄを中心に回動する。ここで、第二スイッチバネ１２は、スイッチレバー１１に形成された軸形状１１ｂ及びスイッチレバー軸１ｄによって位置決めされている為、スイッチレバー１１に連動して巻真２によって回動され、回路基板５の下面側に形成された正転修正検出パターン５ｃ、或いは逆転修正検出パターン５ｄに接触して導通する。正転修正検出パターン５ａ及び逆転修正検出パターン５ｂは、巻真２の回転検出スイッチとなっており、正転修正検出パターン５ｃがＯＮの時は巻真２が正転で回転、逆転修正検出パターン５ｄがＯＮの時は巻真２が逆転で回転操作されたと判断して、両パターンからの入力を回路基板５に実装されたＩＣ１８で判断して、各入力に応じた動作を行う仕様となっている。
【００４１】
また、スイッチレバー戻しバネ１３は、先端のバネ形状１３ａが略Ｖ字形の形状となっており、この部分が所定のたわみを以ってスイッチレバー１１のピン形状１１ｂを常に押圧している。これにより、巻真２の回転力がスイッチ車８の凸形状８ｂによってスイッチレバー１１に伝達されスイッチレバー１１が回転された場合は、スイッチレバー１１の先
端バネ形状１３ａがスイッチレバー１１のピン形状１１ｂを押す。スイッチ車８の凸形状８ｂは巻真２と同心で回転するので、スイッチレバー１１がスイッチ車８の凸形状８ｂの回動範囲から外れた瞬間に、スイッチレバー１１はスイッチレバー戻しバネ１３の先端バネ形状１３ａによって中立位置、即ちＶ字形のバネ形状の中心部へ戻されて位置決めされる。これにより第二スイッチバネ１２も１段状態検出パターン５ａ及び５ｂから離れて中立位置へ戻される。
【００４２】
また、モード車３は、モード車軸３ａ及びモード歯車３ｂから構成され、その先端部にモード針３ｄを圧入固定しており、モード車３の回転によりモード針３ｄを回動させるが、モード歯車３ｂと回路基板５の間にはモード切替スイッチバネ３ｃが配設されている。モード切替スイッチバネ３ｃはモード車３と所定の位相で同期回転する。また、モード切替スイッチバネ３ｃには接点が３ヶ所あり、それぞれ回路基板５に形成された機能モード検出パターン５ｅ、５ｆ、５ｇと導通している。機能モード検出パターン５ｅ〜５ｇは、モード車３の回転検出スイッチとなっており、各パターンの導通状態の組み合わせを回路基板５に実装されたＩＣ１８で検出して、各入力に応じた動作を行う仕様となっている。機能モード検出パターン５ｇはVDD、即ち＋極と導通しており、機能モード検出パターン５ｅ及び５ｆはモード切替スイッチバネ３ｃの位置によって、機能モード検出パターン５ｇとのＯＮ／ＯＦＦの組み合わせが異なる。このＯＮ／ＯＦＦの組み合わせによりモード車３の位置検出を行い、予めＩＣ１８が定められたモードを呼び出す制御システム構造となっている。なお、本実施例の多機能時計においては、５ｅ、５ｆのスイッチの組み合わせと時計のモードは以下のような組み合わせとなっている。
５ｅパターン
５ｆパターン
時計の機能モード
ＯＦＦ
ＯＮ
通常時刻表示・修正モード（ＴＭＥモード）
ＯＮ
ＯＮ
カレンダー表示・修正モード（ＣＡＬモード）
ＯＮ
ＯＦＦ
アラーム表示・修正モード（ＡＬＭモード）
ＯＦＦ
ＯＦＦ
ローカルタイム表示・修正モード（Ｌ−ＴＭモード）
【００４３】
また、モード躍制バネ１５は、所定のたわみ代をもって、モード車３を常に押圧する事により、その弾性によりモード車３の平面的な位置を規制している。これにより、巻真２の回転に伴い、モード車３は任意の回転角度で回転するのではなく、ある所定の角度間隔でしか回転しない構造になっている。
【００４４】
本実施例の多機能時計においては、巻真２の回転によって各指針を直接修正するのではなく、巻真２の位置を１段状態検出パターン５ａ及び２段状態検出パターン５ｂの導通状
態により判断し、また、巻真２の回転を正転修正検出パターン５ｃ及び逆転修正検出５ｄの導通状態により判断して、ＩＣ１８が修正指令を図示しない変換機に下す事により各種の操作を行うシステムとなっている。
【００４５】
ここで、図９に示す従来例と異なり、モードの切替を行う場合はりゅうず２ａを１段状態で回転させる事によって行う事が特徴である。即ち、図９に示す従来例と異なり、りゅうず２ａを回転させる前にりゅうず２ａを引く動作が必要である事から、ユーザが意図しない限りモード切替を行う事が難しく、衝撃などによる誤切替の可能性を大幅に低減させる事が可能となる。
【００４６】
以下、巻真２の位置に応じた詳細動作について説明する。
【００４７】
まず巻真２が０段の状態での各構成部品の位置を図２に示す。おしどり４は裏押え７の山形形状７ａによって０段状態での安定位置４００で規制される為、おしどり４と先端部４ａで係合する巻真２は０段での安定位置２００で規制されている。この場合、おしどり４のピン４ｂと係合するかんぬき１０は０段での安定位置１００で規制されている為、かんぬき１０によって規制されるスイッチ車８は０段での安定位置８００で規制されている。この場合は、図２及び図６に示す如く、スイッチ車８の縦歯の歯車８ｃは、第一モード中間車９ａと、所定の平面隙１６を以って離れた状態となっている。この状態で巻真２を回転しても、巻真２の回転力は第一モード中間車９ａへ伝達されず、モード車３は回転しない。従って巻真２が回転してもモードは切り替わらない。
【００４８】
次に、巻真２が１段に引かれた状態での各構成部品の位置を図４に示す。この場合、巻真２は０段状態での安定位置２００から１段状態での位置２０１へ移動する。これに伴って、巻真２と連動するおしどり４は０段状態の安定位置４００から、裏押え７の山形形状７ａによって規制される１段状態での安定位置４０１へと、おしどり軸１ａを中心に回動する。これに伴い、おしどり４と連動する第一スイッチバネ６は０段状態での安定位置６００から、１段状態での安定位置６０１へと、第一スイッチバネ軸１ｂを中心として回動して回路１段状態検出パターン５ａと導通する。これによりＩＣ１８が、巻真２が１段状態での安定位置２０１にある事を検出する。また、かんぬき１０はおしどり４が１段状態での安定位置４０１へと回動するのに連動して、１段状態での安定位置１０１へとかんぬき軸１ｃを中心として回動するが、かんぬき１０の異形穴１０ａに凸部１０ｂを形成しているのが特徴である。
【００４９】
即ち、おしどり４は１段状態での安定位置４０１に回動した時点で、裏押え７の節度部７ａによりその位置を規制されるが、この時かんぬき１０は、その異形穴１０ａの凸部１０ｂがおしどりのピン４ｂによって押される為、かんぬき軸１ｃを中心に時計回りの方向へ荷重を受け、０段状態の安定位置１００から１段状態での安定位置１０１の位置へ回動し、おしどり４のピン４ｂによって規制される。これにより、かんぬき１０と連動するスイッチ車８は、０段状態での安定位置８００から１段状態での安定位置８０１の位置へと、巻真２の中心軸に沿って移動し、第一モード中間車９ａと噛み合う状態となる。この状態で巻真２を回転すると、巻真２の回転力は、スイッチ車８、第一モード中間車９ａ、第二モード中間車９ｂ、第三モード中間車９ｃを介してモード車３を回転させる。これにより、前述した如くモード切替スイッチバネ３ｃが回転し、機能モード検出パターン５ｅ〜５ｇの導通状態が変更され、ＩＣ１８が各導通状態に応じたモードへと時計表示を切り替える。
【００５０】
次に巻真２が二段の状態を図５に示す。図５において、この場合、巻真２は１段状態での安定位置２０１から、２段状態での安定位置２０２へと移動する。これに伴い、おしどり４は巻真２と連動して、１段状態での安定位置４０１から裏押え７の山形形状７ａによ
って規制される２段状態での安定位置４０２へと、おしどり軸１ａを中心に回動する。また、かんぬき１０はおしどり４のピン４ｂによりその位置を規制される為、異形穴１０ａの凸形状１０ｂからピン４ｂが外れる事により、１段状態での安定位置１０１から０段状態での安定位置１００へと、かんぬき軸１ｃを中心として回動する。従って、かんぬき１０と連動するスイッチ車８も１段状態での安定位置８０１から０段状態での安定位置８００へ移動する事から、スイッチ車８と第一モード中間車９ａとの間に平面隙１６が生じる。従って巻真２の回転力は第一モード中間車９ａへ伝達されず、モード車３は回転しない。従って巻真２が回転してもモードは切り替わらない。
【００５１】
以上のように、本実施例によれば、かんぬき１０の異形穴１０ａの形状により、巻真２が２０１の位置、即ちりゅうず２ａが一段状態の場合にのみ、スイッチ車８を第一モード中間車９ａに噛み合わせる事により、りゅうず２ａの衝撃など誤操作によるモードの誤切替を防止可能な、モード切替構造を提供する事が可能である。
【００５２】
しかしながら、本実施例の如く、巻真２を一段状態での安定位置２０１に引いてから回転する事によりモード切替を行う構造としても、ユーザが巻真２を一段状態に引いてモード切替を行い、押込むのを忘れたまま携帯し続けた場合は、従来と同様にモードの誤切替の可能性は生じる。
【００５３】
これに対して本実施例の場合は、図４に示す如く、モード切替の為に巻真２を０段状態での安定位置２００から１段状態での安定位置２０１へ引いた場合、おしどり４と連動する第一スイッチバネ６が０段状態での安定位置６００から１段状態での安定位置６０１へ回動して１段状態検出パターン５ａと導通する。これにより、ＩＣ１８が、巻真２が１段状態での安定位置２０１へ移動した事を検出するが、この場合、モードを決定する機能モード検出パターン５ｅ及び５ｆの組み合わせ如何に関わらず、図１に示す如く、秒針１７を３０秒位置１７ａへ高速運針で移動させて停止させるよう、ＩＣ１８内部でプログラミングされているのが特徴である。即ち、りゅうず２ａが一段に引かれた状態では、時計のモードに関わらず常に秒針１７は３０秒位置１７ａで停止して、通常の表示とは異なる表示を行う事により、ユーザにりゅうず２ａが１段に引かれてモード修正状態になっている事の警告表示を行う仕様となっており、これにより、りゅうず２ａの押込み忘れによるモード誤切替発生の可能性を低減させる事が可能となる。
【００５４】
本実施例の場合は、りゅうず２ａを引く事で、モードの如何に関わらず秒針１７を３０秒位置１７ａで停止させる事で、ユーザにりゅうず２ａが引かれている事を警告する仕様を例示したが、他の方法でも、ユーザが気づきやすい仕様であれば、同様の告知仕様は可能である。例えば本実施例のようなアナログ多機能時計の場合では、秒針を１秒ステップと異なる運針形態とする、時刻表示指針以外の指針を特定箇所で停止させる、時分針がデモンストレーション的な運針を行う、或いは警告音により報知する等、様々な方法が考えられる。また、液晶表示を有するコンビネーションタイプの場合は液晶表示を変更する、或いは照明付の場合は照明を点灯させるなどの種々の手段が考えられる。しかしながら、例えば機能針の動きで知らしめる方法などは、指針が小型の為、ユーザが気づかない可能性がある。また、実使用時に、ユーザが万が一これらの警告にも関わらず、りゅうず２ａを一段状態で携帯し続けてしまった場合、無為に時計の電源を消費する事により、電池寿命、或いは二次電池使用の充電式時計の場合は持続時間が極端に短くなってしまう可能性がある。従って、本実施例の如く、指針を停止する事による告知／警告機能の方が、時計の使い勝手から行くと望ましいと考えられる。
【００５５】
以上のように、りゅうず２ａを一段に引いて回転する構造と、りゅうず２ａを一段に引いた際に指針を通常とは異なる警告表示を行う仕様を組み合わせる事により、ユーザにとってモード誤切替発生の心配の少ない、安全かつ確実な操作仕様の多機能時計を提供する
事が可能となる。
【実施例２】
【００５６】
以下に、本発明を適用した第二の実施例の概略を示す。図７〜図８は、本発明を適用したコンビネーションタイプの多機能時計のモード切替部の構造を示す概略図であり、図７は完成時計の表示仕様概略を示す平面図、図８はモード切替機構の周辺部の部分断面概略図である。なお、図１〜６と同一構成には同一番号を付して、その説明を省略する。
【００５７】
図７に示す多機能時計の場合、モードの表示を図１に示すモード針３ｄではなく、液晶表示部３ｙの切替によって行う事が特徴である。即ち、モード車軸３ａは地板１を貫通しない形状となっているが、りゅうず２ａを一段に引いて回転する事によりモード車３及びモード切替スイッチバネ３ｃを回転させ、基板のパターン５ｅ及び５ｆの導通状態を切り替える事によってＩＣ１８のモードを切り替える。これによりＩＣの方より液晶のモード表示を切り替える指令を出して対応するモード表示を行う仕様となっている。なお、構造については実施例１と共通である為、詳細説明は省略する。
【００５８】
以上のように、本発明は巻真２を有し、巻真２を一段に引き出して回転操作を行う事によってモード切替を行う手段について説明したが、本発明はこれに限定されるものではなく、例えば巻真２を二段に引き出して回転させる事によりモード切替を行う事も可能である。また、巻真２は引く動作により巻真２位置検出パターンを５ａ乃至５ｂの何れかを導通させ、ＩＣ１８に巻真２の位置を検出させるのみとし、実際のモード切替操作は巻真２の回転操作による切替ではなく、巻真２とは異なるプッシュボタンを押す事によってモード切替を行う仕様でも良い。
【００５９】
以上のように、本発明は、引き出し可能な外部操作部材を有する腕時計全般に適用可能な構造であり、その応用範囲は非常に広いといえる。
【図面の簡単な説明】
【００６０】
【図１】本発明のアナログ多機能時計の、表示仕様を示す完成時計概略図である。
【図２】本発明のアナログ多機能時計の、りゅうずが０段の状態での要部平面図である。
【図３】本発明のアナログ多機能時計の、巻真及びモード針機構周辺の要部断面図である。
【図４】本発明のアナログ多機能時計の、りゅうずが１段の状態での要部平面図である。
【図５】本発明のアナログ多機能時計の、りゅうずが２段状態での要部平面図である。
【図６】本発明のアナログ多機能時計の、りゅうずが０段、１段、２段の各状態でのスイッチ車と第一モード中間車の位置関係を示す要部拡大平面図である。
【図７】本発明の第二実施例の、コンビネーションタイプの多機能時計の表示仕様を示す完成時計概略図である。
【図８】本発明の第二実施例の、コンビネーションタイプの多機能時計の巻真及びモード針機構周辺の要部断面図である。
【図９】従来のアナログ多機能時計の、巻真及びモード切替機構周辺の要部平面図である。
【符号の説明】
【００６１】
１  地板
１ａ  おしどり軸
１ｂ  第一スイッチバネ軸
１ｃ  かんぬき軸
１ｄ  スイッチレバー軸
２  巻真
２ａ  りゅうず
２ｂ  おしどり係合部
２００  ０段状態の安定位置
２０１  １段状態の安定位置
２０２  ２段状態の安定位置
３  モード車
３ａ  モード車軸
３ｂ  モード歯車
３ｄ  モード針
３ｘ  液晶表示部
４  おしどり
４ａ  巻真係合部
４ｂ  ピン
４ｃ  第一スイッチバネ係合部
４００  ０段状態での安定位置
４０１  １段状態での安定位置
４０２  ２段状態での安定位置
５  回路基板
５ａ  １段位置検出パターン
５ｂ  ２段位置検出パターン
５ｃ  正転修正検出パターン
５ｄ  逆転修正検出パターン
５ｅ  機能モード検出パターン
５ｆ  機能モード検出パターン
５ｇ  機能モード検出パターン
６  第一スイッチバネ
６ａ  おしどり係合部
６ｂ  スイッチバネ先端部
６００  ０段状態での安定位置
６０１  １段状態での安定位置
６０２  ２段状態での安定位置
７  裏押え
７ａ  節度部
８  スイッチ車
８ａ  かんぬき係合部
８ｂ  カム形状
８ｃ  縦歯歯車
８００  ０段状態及び２段状態での安定位置
８０１  １段状態での安定位置
９ａ  第一モード中間車
９ｂ  第二モード中間車
９ｃ  第三モード中間車
１０  かんぬき
１０ａ  異形穴
１０ｂ  異形穴の凸部
１０ｃ  戻しバネ部
１００  ０段状態及び２段状態での安定位置
１０１  １段状態での安定位置
１１  スイッチレバー
１２  第二スイッチバネ
１３  スイッチレバー戻しバネ
１４  モード輪列受
１５  モード躍制レバー
１６  平面隙
１７  秒針
１７ａ  ３０秒位置の秒針
１８  ＩＣ
１９  モード切替スイッチバネ
【図１】
2005300377.tif 000003
【図２】
2005300377.tif 000004
【図３】
2005300377.tif 000005
【図４】
2005300377.tif 000006
【図５】
2005300377.tif 000007
【図６】
2005300377.tif 000008
【図７】
2005300377.tif 000009
【図８】
2005300377.tif 000010
【図９】
2005300377.tif 000011